【手続補正書】
【提出日】平成25年4月1日(2013.4.1)
【手続補正１】
【補正対象書類名】特許請求の範囲
【補正対象項目名】全文
【補正方法】変更
【補正の内容】
【特許請求の範囲】
【請求項１】
検索条件がノードに対応づけられてなるツリー構造を有する検索条件データを記憶する検索条件データ記憶手段と、
前記ツリー構造のノードのうちの、ユーザが現在選択しているノードである現在ノードを示す現在ノード情報を記憶する現在ノード情報記憶手段と、
前記現在ノードの直下に位置する複数の下位ノードに対応する複数の下位ノード情報が表示された選択画面を表示手段に表示させることによって、前記複数の下位ノードのうちのいずれかを選択するようにユーザに案内する選択画面表示制御手段と、
前記複数の下位ノードのうちのいずれかが前記ユーザによって選択された場合に、前記現在ノードを、前記ユーザによって選択された下位ノードに変更する現在ノード変更手段と、
前記ユーザによって表示指示操作が行われた場合、又は最下位ノードが前記現在ノードになった場合に、最上位ノードから前記現在ノードまでのノードに対応する検索条件を満足する情報一覧を示す検索結果画面を前記表示手段に表示させる検索結果画面表示制御手段と、
を含み、
前記選択画面表示制御手段は、前記選択画面において、前記複数の下位ノード情報のそれぞれに関連づけて、前記最上位ノードから該下位ノード情報に対応する下位ノードまでのノードに対応する検索条件を満足する情報一覧の少なくとも一部を出力させる、
ことを特徴とする検索システム。
【請求項２】
請求項１に記載の検索システムにおいて、
前記選択画面表示制御手段は、前記複数の下位ノード情報のそれぞれに関連づけて、前記最上位ノードから該下位ノード情報に対応する下位ノードまでのノードに対応する検索条件を満足し、かつ、前記複数の下位ノードのうちの他の下位ノードに対応する検索条件を満足しない情報一覧の少なくとも一部を出力させることを特徴とする検索システム。
【請求項３】
請求項１に記載の検索システムにおいて、
前記複数の下位ノードのそれぞれについて、前記最上位ノードから該下位ノードまでのノードに対応する検索条件を満足する情報一覧を取得する取得手段と、
前記取得手段によって取得される各情報一覧における各情報の表示優先度を設定する優先度設定手段と、を含み、
前記選択画面表示制御手段は、前記複数の下位ノード情報のそれぞれに関連づけて、前記最上位ノードから該下位ノード情報に対応する下位ノードまでのノードに対応する検索条件を満足する情報一覧の少なくとも一部を、各情報に設定された前記表示優先度に基づいて表示させ、
前記優先度設定手段は、前記最上位ノードから前記下位ノードまでのノードに対応する検索条件を満足する情報一覧における各情報の表示優先度を設定する場合、前記複数の下位ノードのうちの他の下位ノードに対応する検索条件を満足する情報の表示優先度を、前記他の下位ノードに対応する前記検索条件を満足しない情報の表示優先度よりも低く設定する、
ことを特徴とする検索システム。
【請求項４】
請求項１乃至３のいずれかに記載の検索システムにおいて、
前記選択画面表示制御手段は、前記複数の下位ノード情報と、前記現在ノードの直上に位置している上位ノードに対応する上位ノード情報と、を前記選択画面に表示させることによって、前記複数の下位ノード及び前記上位ノードのうちのいずれかを選択するように前記ユーザに案内し、
前記現在ノード変更手段は、前記上位ノードが前記ユーザによって選択された場合に前記現在ノードを前記上位ノードに変更し、
前記選択画面表示制御手段は、前記上位ノード情報に関連づけて、前記最上位ノードから前記上位ノードまでのノードに対応する検索条件を満足し、かつ、前記現在ノードに対応する検索条件を満足しない情報一覧の少なくとも一部を出力させる、
ことを特徴とする検索システム。
【請求項５】
請求項１乃至３のいずれかに記載の検索システムにおいて、
前記選択画面表示制御手段は、前記複数の下位ノード情報と、前記現在ノードの直上に位置している上位ノードに対応する上位ノード情報と、を前記選択画面に表示させることによって、前記複数の下位ノード及び前記上位ノードのうちのいずれかを選択するように前記ユーザに案内し、
前記現在ノード変更手段は、前記上位ノードが前記ユーザによって選択された場合に前記現在ノードを前記上位ノードに変更し、
前記検索システムは、
前記最上位ノードから前記上位ノードまでのノードに対応する検索条件を満足する情報一覧を取得する手段と、
前記最上位ノードから前記上位ノードまでのノードに対応する前記検索条件を満足する前記情報一覧における各情報の表示優先度を設定する優先度設定手段と、を含み、
前記選択画面表示制御手段は、前記上位ノード情報に関連づけて、前記最上位ノードから前記上位ノードまでのノードに対応する前記検索条件を満足する前記情報一覧の少なくとも一部を、各情報に設定された前記表示優先度に基づいて表示させ、
前記優先度設定手段は、前記最上位ノードから前記上位ノードまでのノードに対応する前記検索条件を満足する前記情報一覧のうちの、前記現在ノードに対応する検索条件を満足する情報の表示優先度を、前記現在ノードに対応する前記検索条件を満足しない情報の表示優先度よりも低く設定する、
ことを特徴とする検索システム。
【請求項６】
請求項１乃至５のいずれかに記載の検索システムにおいて、
前記ツリー構造は、第１のノードと、前記第１のノードの直下に位置している複数のノードと、を含み、
前記第１のノードの直下に位置している前記複数のノードは第２のノード及び第３のノードを含み、
前記第１のノードが前記現在ノードである場合の前記選択画面は、前記第２のノードに対応する下位ノード情報と、前記第３のノードに対応する下位ノード情報と、を含み、
前記現在ノード変更手段は、前記第１のノードが前記現在ノードである状態において、前記第１のノードの直下に位置している前記複数のノードのうちから前記第２のノードが前記ユーザによって選択された場合に、前記現在ノードを前記第１のノードから前記第２のノードに変更し、
前記現在ノード変更手段は、前記第１のノードから前記第２のノードに前記現在ノードが変更された後において、前記現在ノードを前記第１ノードに戻すための戻り指示操作が前記ユーザによって行われた場合に、前記現在ノードを前記第２のノードから前記第１のノードに戻し、
前記選択画面表示制御手段は、前記第２のノードから前記第１のノードに前記現在ノードが戻された場合の前記選択画面において、前記第３のノードに対応する前記下位ノード情報に関連づけて、前記最上位ノードから前記第３のノードまでのノードに対応する検索条件を満足し、かつ、前記第２のノードに対応する検索条件を満足しない情報一覧の少なくとも一部を出力させる、
ことを特徴とする検索システム。
【請求項７】
請求項６に記載の検索システムにおいて、
前記戻り指示操作が、前記第１のノードから前記第２のノードに前記現在ノードが変更されてから基準時間が経過した後に行われたか否かを判定する手段を含み、
前記選択画面表示制御手段は、
前記基準時間が経過する前に前記戻り指示操作が行われたのであれば、前記第２のノードから前記第１ノードに前記現在ノードが戻された場合の前記選択画面において、前記第３のノードに対応する前記下位ノード情報に関連づけて、前記最上位ノードから前記第３のノードまでのノードに対応する検索条件を満足する情報一覧の少なくとも一部を出力させ、
前記基準時間が経過した後に前記戻り指示操作が行われたのであれば、前記第２のノードから前記第１ノードに前記現在ノードが戻された場合の前記選択画面において、前記第３のノードに対応する前記下位ノード情報に関連づけて、前記最上位ノードから前記第３のノードまでのノードに対応する検索条件を満足し、かつ、前記第２のノードに対応する検索条件を満足しない情報一覧の少なくとも一部を出力させる、
ことを特徴とする検索システム。
【請求項８】
請求項６又は７に記載の検索システムにおいて、
前記検索結果画面表示制御手段は、前記第２のノードが前記現在ノードである状態で前記表示指示操作が前記ユーザによって行われた場合に、前記最上位ノードから前記第２のノードまでのノードに対応する検索条件を満足する情報一覧を示す前記検索結果画面を、前記第２ノードに対応する検索結果画面として前記表示手段に表示させ、
前記検索システムは、前記戻り指示操作が、前記第２のノードに対応する前記検索結果画面が表示された後に行われたか否かを判定する手段を含み、
前記選択画面表示制御手段は、
前記第２のノードに対応する前記検索結果画面が表示される前に前記戻り指示操作が行われたのであれば、前記第２のノードから前記第１のノードに前記現在ノードが戻された場合の前記選択画面において、前記第３のノードに対応する前記下位ノード情報に関連づけて、前記最上位ノードから前記第３のノードまでのノードに対応する検索条件を満足する情報一覧の少なくとも一部を出力させ、
前記第２のノードに対応する前記検索結果画面が表示された後に前記戻り指示操作が行われたのであれば、前記第２のノードから前記第１のノードに前記現在ノードが戻された場合の前記選択画面において、前記第３のノードに対応する前記下位ノード情報に関連づけて、前記最上位ノードから前記第３のノードまでのノードに対応する検索条件を満足し、かつ、前記第２のノードに対応する検索条件を満足しない情報一覧の少なくとも一部を出力させる、
ことを特徴とする検索システム。
【請求項９】
請求項１乃至５のいずれかに記載の検索システムにおいて、
前記ツリー構造は、第１のノードと、前記第１のノードの直下に位置している複数のノードと、を含み、
前記第１のノードの直下に位置している前記複数のノードは第２のノード及び第３のノードを含み、
前記第１のノードが前記現在ノードである場合の前記選択画面は、前記第２のノードに対応する下位ノード情報と、前記第３のノードに対応する下位ノード情報と、を含み、
前記現在ノード変更手段は、前記第１のノードが前記現在ノードである状態において、前記第１のノードの直下に位置している前記複数のノードのうちから前記第２のノードが前記ユーザによって選択された場合に、前記現在ノードを前記第１のノードから前記第２のノードに変更し、
前記現在ノード変更手段は、前記第１のノードから前記第２のノードに前記現在ノードが変更された後において、前記現在ノードを前記第１ノードに戻すための戻り指示操作が前記ユーザによって行われた場合に、前記現在ノードを前記第２のノードから前記第１のノードに戻し、
前記検索システムは、
前記最上位ノードから前記第３のノードまでのノードに対応する検索条件を満足する情報一覧を取得する手段と、
前記最上位ノードから前記第３のノードまでのノードに対応する前記検索条件を満足する前記情報一覧における各情報の表示優先度を設定する優先度設定手段と、を含み、
前記選択画面表示制御手段は、前記第２のノードから前記第１ノードに前記現在ノードが戻された場合の前記選択画面において、前記第３のノードに対応する前記下位ノード情報に関連づけて、前記最上位ノードから前記第３のノードまでのノードに対応する前記検索条件を満足する前記情報一覧の少なくとも一部を、各情報に設定された前記表示優先度に基づいて表示させ、
前記優先度設定手段は、前記第２のノードから前記第１のノードに前記現在ノードが戻された場合、前記最上位ノードから前記第３のノードまでのノードに対応する前記検索条件を満足する前記情報一覧のうちの、前記第２のノードに対応する検索条件を満足する情報の表示優先度を、前記第２のノードに対応する前記検索条件を満足しない情報の表示優先度よりも低く設定する、
ことを特徴とする検索システム。
【請求項１０】
請求項９に記載の検索システムにおいて、
前記戻り指示操作が、前記第１のノードから前記第２のノードに前記現在ノードが変更されてから基準時間が経過した後に行われたか否かを判定する手段を含み、
前記優先度設定手段は、前記第２のノードから前記第１のノードに前記現在ノードが戻された場合であって、かつ、前記基準時間が経過した後に前記戻り指示操作が行われたと判定された場合に、前記最上位ノードから前記第３のノードまでのノードに対応する前記検索条件を満足する前記情報一覧のうちの、前記第２のノードに対応する前記検索条件を満足する前記情報の前記表示優先度を、前記第２のノードに対応する前記検索条件を満足しない前記情報の前記表示優先度よりも低く設定する、
ことを特徴とする検索システム。
【請求項１１】
請求項９又は１０に記載の検索システムにおいて、
前記検索結果画面表示制御手段は、前記第２のノードが前記現在ノードである状態で前記表示指示操作が前記ユーザによって行われた場合に、前記最上位ノードから前記第２のノードまでのノードに対応する検索条件を満足する情報一覧を示す前記検索結果画面を、前記第２ノードに対応する検索結果画面として前記表示手段に表示させ、
前記検索システムは、前記戻り指示操作が、前記第２のノードに対応する前記検索結果画面が表示された後に行われたか否かを判定する手段を含み、
前記優先度設定手段は、前記第２のノードから前記第１のノードに前記現在ノードが戻された場合であって、かつ、前記第２のノードに対応する前記検索結果画面が表示された後に前記戻り指示操作が行われたと判定された場合に、前記最上位ノードから前記第３のノードまでのノードに対応する前記検索条件を満足する前記情報一覧のうちの、前記第２のノードに対応する前記検索条件を満足する前記情報の前記表示優先度を、前記第２のノードに対応する前記検索条件を満足しない前記情報の前記表示優先度よりも低く設定する、
ことを特徴とする検索システム。
【請求項１２】
請求項１乃至１１のいずれかに記載の検索システムにおいて、
前記ツリー構造は、第１のノードと、前記第１のノードの直下に位置している複数のノードと、を含み、
前記第１のノードの直下に位置している前記複数のノードは第２のノード及び第３のノードを含み、
前記現在ノード変更手段は、前記第１のノードが前記現在ノードである状態において、前記第１のノードの直下に位置している前記複数のノードのうちから前記第２のノードが前記ユーザによって選択された場合、前記現在ノードを前記第１のノードから前記第２のノードに変更し、
前記現在ノード変更手段は、前記第１のノードから前記第２のノードに前記現在ノードが変更された後において、前記現在ノードを前記第１ノードに戻すための戻り指示操作が前記ユーザによって行われた場合、前記現在ノードを前記第２のノードから前記第１のノードに戻し、
前記現在ノード変更手段は、前記第２のノードから前記第１のノードに前記現在ノードが戻された後において、前記第１のノードの直下に位置している前記複数のノードのうちから前記第３のノードが前記ユーザによって選択された場合、前記現在ノードを前記第１のノードから前記第３のノードに変更し、
前記検索結果画面表示制御手段は、前記第２のノードから前記１のノードに前記現在ノードが戻された後に前記第１のノードから前記３のノードに前記現在ノードが変更された状態において前記検索結果画面を前記表示手段に表示させる場合、該検索結果画面として、前記最上位ノードから前記第３のノードまでのノードに対応する検索条件を満足し、かつ、前記第２のノードに対応する検索条件を満足しない情報一覧を示す検索結果画面を表示させる、
ことを特徴とする検索システム。
【請求項１３】
請求項１２に記載の検索システムにおいて、
前記戻り指示操作が、前記第１のノードから前記第２のノードに前記現在ノードが変更されてから基準時間が経過した後に行われたか否かを判定する手段を含み、
前記検索結果画面表示制御手段は、前記第２のノードから前記１のノードに前記現在ノードが戻された後に前記第１のノードから前記３のノードに前記現在ノードが変更された状態において前記検索結果画面を前記表示手段に表示させる場合、
（１）前記基準時間が経過する前に前記戻り指示操作が行われたのであれば、前記最上位ノードから前記第３のノードまでのノードに対応する検索条件を満足する情報一覧を示す検索結果画面を表示させ、
（２）前記基準時間が経過した後に前記戻り指示操作が行われたのであれば、前記最上位ノードから前記第３のノードまでのノードに対応する検索条件を満足し、かつ、前記第２のノードに対応する検索条件を満足しない情報一覧を示す検索結果画面を表示させる、
ことを特徴とする検索システム。
【請求項１４】
請求項１２又は１３に記載の検索システムにおいて、
前記検索結果画面表示制御手段は、前記第２のノードが前記現在ノードである状態で前記表示指示操作が前記ユーザによって行われた場合に、前記最上位ノードから前記第２のノードまでのノードに対応する検索条件を満足する情報を示す前記検索結果画面を、前記第２ノードに対応する検索結果画面として前記表示手段に表示させ、
前記検索システムは、前記戻り指示操作が、前記第２のノードに対応する前記検索結果画面が表示された後に行われたか否かを判定する手段を含み、
前記検索結果画面表示制御手段は、前記第２のノードから前記１のノードに前記現在ノードが戻された後に前記第１のノードから前記３のノードに前記現在ノードが変更された状態において前記検索結果画面を前記表示手段に表示させる場合、
（１）前記第２のノードに対応する前記検索結果画面が表示される前に前記戻り指示操作が行われたのであれば、前記最上位ノードから前記第３のノードまでのノードに対応する検索条件を満足する情報一覧を示す検索結果画面を表示させ、
（２）前記第２のノードに対応する前記検索結果画面が表示された後に前記戻り指示操作が行われたのであれば、前記最上位ノードから前記第３のノードまでのノードに対応する検索条件を満足し、かつ、前記第２のノードに対応する検索条件を満足しない情報一覧を示す検索結果画面を表示させる、
ことを特徴とする検索システム。
【請求項１５】
請求項１乃至１１のいずれかに記載の検索システムにおいて、
前記ツリー構造は、第１のノードと、前記第１のノードの直下に位置している複数のノードと、を含み、
前記第１のノードの直下に位置している前記複数のノードは第２のノード及び第３のノードを含み、
前記現在ノード変更手段は、前記第１のノードが前記現在ノードである状態において、前記第１のノードの直下に位置している前記複数のノードのうちから前記第２のノードが前記ユーザによって選択された場合、前記現在ノードを前記第１のノードから前記第２のノードに変更し、
前記現在ノード変更手段は、前記第１のノードから前記第２のノードに前記現在ノードが変更された後において、前記現在ノードを前記第１ノードに戻すための戻り指示操作が前記ユーザによって行われた場合、前記現在ノードを前記第２のノードから前記第１のノードに戻し、
前記現在ノード変更手段は、前記第２のノードから前記第１のノードに前記現在ノードが戻された後において、前記第１のノードの直下に位置している前記複数のノードのうちから前記第３のノードが前記ユーザによって選択された場合、前記現在ノードを前記第１のノードから前記第３のノードに変更し、
前記検索システムは、
前記最上位ノードから前記第３のノードまでのノードに対応する検索条件を満足する情報一覧を取得する手段と、
前記最上位ノードから前記第３のノードまでのノードに対応する前記検索条件を満足する前記情報一覧における各情報の表示優先度を設定する優先度設定手段と、を含み、
前記検索結果画面表示制御手段は、前記第２のノードから前記１のノードに前記現在ノードが戻された後に前記第１のノードから前記３のノードに前記現在ノードが変更された状態において前記検索結果画面を前記表示手段に表示させる場合、前記最上位ノードから前記第３のノードまでのノードに対応する前記検索条件を満足する前記情報一覧を示す検索結果画面を、各情報に設定された前記表示優先度に基づいて表示させ、
前記優先度設定手段は、前記第２のノードから前記１のノードに前記現在ノードが戻された後に前記第１のノードから前記３のノードに前記現在ノードが変更された場合、前記最上位ノードから前記第３のノードまでのノードに対応する前記検索条件を満足する前記情報一覧のうちの、前記第２のノードに対応する検索条件を満足する情報の表示優先度を、前記第２のノードに対応する前記検索条件を満足しない情報の表示優先度よりも低く設定する、
ことを特徴とする検索システム。
【請求項１６】
請求項１５に記載の検索システムにおいて、
前記戻り指示操作が、前記第１のノードから前記第２のノードに前記現在ノードが変更されてから基準時間が経過した後に行われたか否かを判定する手段を含み、
前記優先度設定手段は、前記基準時間が経過した後に前記戻り指示操作が行われたと判定された場合であって、かつ、前記第２のノードから前記１のノードに前記現在ノードが戻された後に前記第１のノードから前記３のノードに前記現在ノードが変更された場合に、前記最上位ノードから前記第３のノードまでのノードに対応する前記検索条件を満足する前記情報一覧のうちの、前記第２のノードに対応する前記検索条件を満足する前記情報の前記表示優先度を、前記第２のノードに対応する前記検索条件を満足しない前記情報の前記表示優先度よりも低く設定する、
ことを特徴とする検索システム。
【請求項１７】
請求項１５又は１６に記載の検索システムにおいて、
前記検索結果画面表示制御手段は、前記第２のノードが前記現在ノードである状態で前記表示指示操作が前記ユーザによって行われた場合に、前記最上位ノードから前記第２のノードまでのノードに対応する検索条件を満足する情報一覧を示す前記検索結果画面を、前記第２ノードに対応する検索結果画面として前記表示手段に表示させ、
前記検索システムは、前記戻り指示操作が、前記第２のノードに対応する前記検索結果画面が表示された後に行われたか否かを判定する手段を含み、
前記優先度設定手段は、前記第２のノードに対応する前記検索結果画面が表示された後に前記戻り指示操作が行われたと判定された場合であって、かつ、前記第２のノードから前記１のノードに前記現在ノードが戻された後に前記第１のノードから前記３のノードに前記現在ノードが変更された場合に、前記最上位ノードから前記第３のノードまでのノードに対応する前記検索条件を満足する前記情報一覧のうちの、前記第２のノードに対応する前記検索条件を満足する前記情報の前記表示優先度を、前記第２のノードに対応する前記検索条件を満足しない前記情報の前記表示優先度よりも低く設定する、
ことを特徴とする検索システム。
【請求項１８】
検索条件がノードに対応づけられてなるツリー構造を有する検索条件データの前記ツリー構造におけるノードのうちの、ユーザが現在選択しているノードである現在ノードを示す現在ノード情報を記憶してなる現在ノード情報記憶手段に記憶される前記現在ノード情報を取得する手段と、
前記現在ノードの直下に位置する複数の下位ノードに対応する複数の下位ノード情報が表示された選択画面を表示手段に表示させることによって、前記複数の下位ノードのうちのいずれかを選択するようにユーザに案内する選択画面表示制御手段と、
前記ユーザによって表示指示操作が行われた場合、又は最下位ノードが前記現在ノードである場合に、最上位ノードから前記現在ノードまでのノードに対応する検索条件を満足する情報一覧を示す検索結果画面を前記表示手段に表示させる検索結果表示制御手段と、
を含み、
前記選択画面表示制御手段は、前記選択画面において、前記複数の下位ノード情報のそれぞれに関連づけて、前記最上位ノードから該下位ノード情報に対応する下位ノードまでのノードに対応する検索条件を満足する情報一覧の少なくとも一部を出力させる、
ことを特徴とする情報処理装置。
【請求項１９】
検索条件がノードに対応づけられてなるツリー構造を有する検索条件データの前記ツリー構造におけるノードのうちの、ユーザが現在選択しているノードである現在ノードを示す現在ノード情報を記憶してなる現在ノード情報記憶手段に記憶される前記現在ノード情報を取得するステップと、
前記現在ノードの直下に位置する複数の下位ノードに対応する複数の下位ノード情報が表示された選択画面を表示手段に表示させることによって、前記複数の下位ノードのうちのいずれかを選択するようにユーザに案内する選択画面表示制御ステップと、
前記ユーザによって表示指示操作が行われた場合、又は最下位ノードが前記現在ノードである場合に、最上位ノードから前記現在ノードまでのノードに対応する検索条件を満足する情報一覧を示す検索結果画面を前記表示手段に表示させる検索結果画面表示制御ステップと、
を含み、
前記選択画面表示制御ステップは、前記選択画面において、前記複数の下位ノード情報のそれぞれに関連づけて、最上位ノードから該下位ノード情報に対応する下位ノードまでのノードに対応する検索条件を満足する情報一覧の少なくとも一部を出力させるステップを含む、
ことを特徴とする情報処理装置の制御方法。
【請求項２０】
検索条件がノードに対応づけられてなるツリー構造を有する検索条件データの前記ツリー構造におけるノードのうちの、ユーザが現在選択しているノードである現在ノードを示す現在ノード情報を記憶してなる現在ノード情報記憶手段に記憶される前記現在ノード情報を取得する手段、
前記現在ノードの直下に位置する複数の下位ノードに対応する複数の下位ノード情報が表示された選択画面を表示手段に表示させることによって、前記複数の下位ノードのうちのいずれかを選択するようにユーザに案内する選択画面表示制御手段、及び、
前記ユーザによって表示指示操作が行われた場合、又は最下位ノードが前記現在ノードである場合に、最上位ノードから前記現在ノードまでのノードに対応する検索条件を満足する情報一覧を示す検索結果画面を前記表示手段に表示させる検索結果画面表示制御手段、
としてコンピュータを機能させ、
前記選択画面表示制御手段は、前記選択画面において、前記複数の下位ノード情報のそれぞれに関連づけて、前記最上位ノードから該下位ノード情報に対応する下位ノードまでのノードに対応する検索条件を満足する情報一覧の少なくとも一部を出力させる、
ことを特徴とするプログラム。
【請求項２１】
検索条件がノードに対応づけられてなるツリー構造を有する検索条件データの前記ツリー構造におけるノードのうちの、ユーザが現在選択しているノードである現在ノードを示す現在ノード情報を記憶してなる現在ノード情報記憶手段に記憶される前記現在ノード情報を取得する手段、
前記現在ノードの直下に位置する複数の下位ノードに対応する複数の下位ノード情報が表示された選択画面を表示手段に表示させることによって、前記複数の下位ノードのうちのいずれかを選択するようにユーザに案内する選択画面表示制御手段、及び、
前記ユーザによって表示指示操作が行われた場合、又は最下位ノードが前記現在ノードである場合に、最上位ノードから前記現在ノードまでのノードに対応する検索条件を満足する情報一覧を示す検索結果画面を前記表示手段に表示させる検索結果画面表示制御手段、
としてコンピュータを機能させ、
前記選択画面表示制御手段は、前記選択画面において、前記複数の下位ノード情報のそれぞれに関連づけて、前記最上位ノードから該下位ノード情報に対応する下位ノードまでのノードに対応する検索条件を満足する情報一覧の少なくとも一部を出力させる、
ことを特徴とするプログラムを記憶したコンピュータ読み取り可能な情報記憶媒体。